(57)【要約】【課題】  カフを水で洗浄して容易に汚れを落とすことができる血圧計を提供する。【解決手段】  人体の一部に圧力を加えるための圧力印加部と、前記人体の一部における脈波を検出するための脈波検出部とを有する血圧計において、圧力印加部を血圧計から着脱可能とし、圧力印加部の内部への水の侵入を防止するための構造を備える。【選択図】  図７
2006334227.tif 000002
【特許請求の範囲】
【請求項１】
人体の一部に圧力を加えるための圧力印加部と、前記人体の一部における脈波を検出するための脈波検出部とを有する血圧計であって、
前記圧力印加部は前記血圧計から着脱可能であり、圧力印加部の内部への水の侵入を防止するための構造を備えていることを特徴とする血圧計。
【請求項２】
前記圧力印加部は、開放された面を有する筐体と、当該開放された面を被うカフ材とを有し、カフ材の全体又は表面がフッ素化シリコーンからなる請求項１に記載の血圧計。
【請求項３】
前記圧力印加部は、開放された面を有する筐体と、当該開放された面を被うカフ材とを有し、カフ材の全体又は表面が親水性エラストマーからなる請求項１に記載の血圧計。
【請求項４】
前記圧力印加部は、開放された面を有する筐体と、当該開放された面を被うカフ材とを有し、前記筐体における少なくとも前記カフ材が接する部分が撥水性である請求項１ないし３のうちいずれか１項に記載の血圧計。
【請求項５】
前記血圧計は、前記圧力印加部と前記脈波検出部とを有する測定部と、前記圧力印加部に圧力を供給する手段を含む本体部と、前記圧力印加部と本体部とを接続する中空パイプとを有し、
前記圧力印加部は、前記中空パイプと着脱可能に接続するためのノズルを有し、
前記ノズルの全体又は表面がフッ素樹脂からなり、ノズルの中空部分の内径が１ｍｍ未満である請求項１ないし４のうちいずれか１項に記載の血圧計。
【請求項６】
前記血圧計は、前記圧力印加部と前記脈波検出部とを有する測定部と、前記脈波検出部を制御する手段を含む本体部と、前記脈波検出部と本体部とを接続するケーブルとを有し、前記脈波検出部は前記圧力印加部内に備えられ、
前記圧力印加部は、前記ケーブルと着脱可能に接続するためのオス形のコネクタ、又は、メス形で全体又は表面がフッ素樹脂からなる開口径が１ｍｍ未満のコネクタを有する請求項１ないし５のうちいずれか１項に記載の血圧計。
【請求項７】
前記血圧計は、前記圧力印加部と前記脈波検出部とを有する測定部と、前記圧力印加部に圧力を供給する手段を含む本体部と、前記圧力印加部と本体部とを接続する中空パイプとを有し、
前記中空パイプは、前記圧力印加部から伸びる第１の中空パイプと前記本体部から伸びる第２の中空パイプとが着脱可能に接続されるように構成されており、
前記第１の中空パイプの端に、第２の中空パイプを接続するためのフッ素樹脂製パイプを備え、当該フッ素樹脂製パイプの中空部分の内径が１mm未満である請求項１ないし４のうちいずれか１項に記載の血圧計。
【請求項８】
前記血圧計は、前記圧力印加部と前記脈波検出部とを有する測定部と、前記脈波検出部を制御する手段を含む本体部と、前記脈波検出部と本体部とを接続するケーブルとを有し、前記脈波検出部は前記圧力印加部内に備えられ、  
前記ケーブルは、前記圧力印加部から伸びる第１のケーブルと前記本体部から伸びる第２のケーブルとが着脱可能に接続されるように構成されており、
第１のケーブルと第２のケーブルとを接続するための第１のケーブル側のコネクタがオス形であるか、又は、前記第１のケーブル側のコネクタはフッ素樹脂からなるメス形の構造であって開口径が１ｍｍ未満である請求項１ないし４のうちいずれか１項に記載の血圧計。
【請求項９】
前記血圧計は耳部の一部を圧迫することにより血圧を測定する耳式血圧計である請求項１ないし８のうちいずれか１項に記載の血圧計。
【請求項１０】
前記耳部の一部は、耳珠、又は耳珠周辺の側頭部である請求項９に記載の血圧計。
【発明の詳細な説明】
【技術分野】
【０００１】
本発明は汚れが付着し難く、汚れが付着しても容易に洗浄可能な血圧計に関するものである。
【背景技術】
【０００２】
高齢化が進み、成人の生活習慣病への対応が社会的に大きな課題となっている。特に高血圧に関連する疾患の場合、長期の血圧データの収集が非常に重要である点が認識されている。このような観点から、血圧を始めとした各種の生体情報の測定装置が開発されている。この中で日常の生活や行動の邪魔にならない装着部位として耳を選び、外耳道又は外耳中の他の部位に挿入し、常時装着できる携帯型の患者モニタ装置が提案されている（例えば、特許文献１参照。）。一般に、血圧計には測定部位を加減圧するカフとカフに空気を中空パイプを介して送排気するポンプやバルブ、及び光電センサを備えている。
【特許文献１】特開平９−１２２０８３号公報
【特許文献２】特開平６−１７２５３９号公報
【特許文献３】特開平９−７５２４５号公報
【発明の開示】
【発明が解決しようとする課題】
【０００３】
耳部に装着して使用する耳式血圧計では、カフが耳部に接触するためカフの表面に脂や汗等の汚れが付着し易い。しかし、耳式血圧計のカフは一般に小型であるため、布で拭くなどして汚れを取り除くことは困難である。
【０００４】
また、気密性の中空パイプがカフ及び制御部分に接続されていたり、光電センサ及び電気ケーブル等を有するため、水中で丸洗いすることも困難である。
【０００５】
本発明は上記の点に鑑みてなされたものであり、カフを水で洗浄して容易に汚れを落とすことができる血圧計を提供することを目的とする。
【課題を解決するための手段】
【０００６】
上記の課題は、人体の一部に圧力を加えるための圧力印加部と、前記人体の一部における脈波を検出するための脈波検出部とを有する血圧計であって、前記圧力印加部は、前記血圧計から着脱可能であり、圧力印加部の内部への水の侵入を防止するための構造を備えていることを特徴とする血圧計により解決できる。
【０００７】
前記圧力印加部は、開放された面を有する筐体と、当該開放された面を被うカフ材とを有し、カフ材の全体又は表面をフッ素化シリコーンで構成することができる。また、カフ材の全体又は表面を親水性エラストマーを用いて構成してもよい。また、前記筐体における少なくとも前記カフ材が接する部分を撥水性とする。
【０００８】
また、前記血圧計は、前記圧力印加部と前記脈波検出部とを有する測定部と、前記圧力印加部に圧力を供給する手段を含む本体部と、前記圧力印加部と本体部とを接続する中空パイプとを有し、前記圧力印加部は、前記中空パイプと着脱可能に接続するためのノズルを有し、前記ノズルの全体又は表面がフッ素樹脂からなり、ノズルの中空部分の内径が１ｍｍ未満であるように構成することができる。
【０００９】
また、前記血圧計は、前記圧力印加部と前記脈波検出部とを有する測定部と、前記脈波検出部を制御する手段を含む本体部と、前記脈波検出部と本体部とを接続するケーブルとを有し、前記脈波検出部は前記圧力印加部内に備えられ、前記圧力印加部は、前記ケーブルと着脱可能に接続するためのオス形のコネクタ、又は、メス形で全体又は表面がフッ素樹脂からなる開口径が１ｍｍ未満のコネクタを有するように構成してもよい。
【００１０】
また、前記中空パイプを、前記圧力印加部から伸びる第１の中空パイプと前記本体部から伸びる第２の中空パイプとが着脱可能に接続されるように構成し、前記第１の中空パイプの端に、第２の中空パイプを接続するためのフッ素樹脂製パイプを備え、当該フッ素樹脂製パイプの中空部分の内径が１mm未満であるように構成してもよく、前記ケーブルを、前記圧力印加部から伸びる第１のケーブルと前記本体部から伸びる第２のケーブルとが着脱可能に接続されるように構成し、第１のケーブルと第２のケーブルとを接続するための第１のケーブル側のコネクタがオス形であるか、又は、前記第１のケーブル側のコネクタはフッ素樹脂からなるメス形の構造であって開口径が１ｍｍ未満であるように構成してもよい。
【発明の効果】
【００１１】
本発明によれば、圧力印加部（カフ）を血圧計から着脱可能とし、圧力印加部の内部への水の侵入を防止するための構造を備えたので、圧力印加部を水洗いすることが可能となる。また、カフから中空パイプやケーブルを着脱可能する着脱部を、水が浸入しない構造としたので、丸洗い時にカフ内部に水が浸入するのを防止できる。
【００１２】
また、カフ材の表面に超撥水性のフッ素化シリコーンを用いることにより、汚れが付着し難くなる。また、カフ材表面を親水性としたことにより、汚れが付着しても水で簡単に洗い流せるようになる。また、筐体とカフ材とが接する部分を撥水性としたことにより、丸洗い時にカフ材の装着部分からカフ内部に水が浸入するのを防止できる。
【００１３】
また、中空パイプやケーブルを途中から着脱可能としてもよく、この場合にカフ側の中空パイプもしくはケーブルにおける着脱部を水が浸入しない構造としたので、丸洗い時にカフ内部に水が浸入するのを防止できる。
【発明を実施するための最良の形態】
【００１４】
以下、図面を参照して本発明の実施の形態である耳式血圧計について説明する。まず、耳式血圧計の全体構成を説明し、その後に、容易に洗浄できる構造の詳細について説明する。
【００１５】
（耳式血圧計の全体構成）
まず、本実施の形態の耳式血圧計の説明に関連する耳介の構造と各部の名称について図１に示す耳介の構造図を参照して説明する。
【００１６】
耳介とは、いわゆる耳のことであり、図１に示す耳の全体の総称である。耳介の各部は、耳珠１、対珠２、耳甲介３、対輪４、耳輪５、対輪脚６、耳輪脚７、耳甲介腔８と呼ばれる。本願において、「耳珠の内側」とは、図１における耳珠１の耳甲介腔８の側をいう。「耳珠の外側」とは、図１における耳珠１の耳甲介腔８と反対の側をいう。なお、耳介と外耳道を含む耳のことを外耳という。また、耳介付け根周辺の側頭部のことを外耳の周辺と呼ぶこととし、本明細書及び特許請求の範囲における「耳部」は、外耳及び外耳の周辺を含む部分であるものとする。なお、耳介、外耳道の皮下には枝動脈が存在し、また、耳介付け根周辺の側頭部には、特に、耳珠のあたりで皮膚表層に現れそのまま上方に延びる浅側頭動脈が存在する。これらはいずれも脈波計測（血圧測定）に有用な部分である。
【００１７】
本実施の形態の耳式血圧計は、制御部等を備えた本体部１０と血圧測定のためのカフや光電センサ等を備えた測定部３０とを有し、測定部３０と本体部１０とが中空パイプ及びケーブル（光電センサから延びる電線を被覆するケーブル）により接続されている。なお、測定部３０と本体部１０とを１つの筐体を用いて一体として構成してもよい。
【００１８】
図２は、耳式血圧計の測定部３０の構成例を示す図である。図２（Ａ）は正面図、図２（Ｂ）は平面図である。図２（Ａ）に示すように、測定部３０は、第一のアーム３１、第二のアーム３２、カフ３３、３４、支軸３５を有している。また、カフ３３は内部に発光素子と受光素子とからなる光電センサを収容している。
【００１９】
測定部３０には、カフ３３及び３４の各々に対して空気を送排気する中空パイプ３６、及び光電センサに対して信号送受をする電線を含むケーブル３７が本体部１０から伸び、第一のアーム３１及び第二のアーム３２の中を通り、それぞれの他端においてカフに接続されている。なお、光電センサを構成する素子毎にケーブルを設けてもよいが、複数素子からの電線をまとめて１つのケーブルとしてもよい。
【００２０】
第一のアーム３１、第二のアーム３２の各々の一端は支軸３５に接続されている。更に、測定部３０は、例えば第一のアーム３１及び第二のアーム３２の各々が支軸３５に接続される部分、あるいは支軸３５に、第一のアーム３１と第二のアーム３２が互いに対向する他端の間隔を調整する距離可変機構４０を備える。
【００２１】
ここで、距離可変機構４０が角度αを可変にする機構としては、支軸３５と第一のアーム３１の角度をネジにより調整する機構、あるいはフリクションとネジ固定を併用する機構のいずれでもよい。さらに、第一のアーム３１と第二のアーム３２が互いに対向する他端の間隔を調整する機構としては、支軸３５の長さを伸縮させる機構でもよい。また、図２（Ｂ）に示すように、この耳式血圧計は、第一のアーム３１と支軸３５との接続部分に、支軸３５を軸として、第一のアーム３１を水平方向に回転させる回転機構４１を備えている。  
更に、図３に示すように、カフを矢印方向に回転可能とした構成とすることもできる。この場合、例えば、図３の棒部材４２とアームとの接続部分のネジ４３を外すことによりカフを取り外すことが可能である。
【００２２】
図４に本体部１０の機能構成を示す。本体部１０は、カフに空気を送って膨張させる加圧部１１、膨張したカフ内から一定の割合で空気を排気してカフを減圧する減圧部１２、カフ内圧力を検出する圧力検出部１３、発光素子を駆動する発光回路１４、発光素子の動脈照射によって得られる脈波信号を検出する脈波回路１５、及びこれらを制御する制御部１６、表示部１７、記憶部１８、タイマー１９、電池２０を有している。これらが筺体内に高密度に実装されて、胸ポケットに入る程度の大きさとなっている。なお、制御部１６はＭＰＵ（マイクロプロセッシングユニット）として実現することが可能である。
【００２３】
図５に、本実施の形態の耳式血圧計を耳に装着した例を示す。図５に示すように、測定部３０は耳珠１に両側から接するように装着され、第一のアーム３１の備えるカフ３３が耳珠１の外側、第二のアーム３２の備えるカフ３４が耳珠１の内側に接して装着される。第二のアーム３２の一部及びカフ３４は耳珠１の内側にあるので破線で示している。
【００２４】
なお、カフ３４を耳珠１の内側に接して装着した場合、第二のアーム３２と耳甲介３との間の空間をほぼ埋める形状のスポンジ材等を第２のアーム３２の裏側に一体的に設けてもよい。これにより、カフが耳珠表面に接すると同時にスポンジ材が耳甲介３に収まるように接して多点支持され測定部３０全体が耳に安定して装着される。 
図６はカフ内に設置する光電センサの一例を示したものである。図６に示すように、カフ３３が耳珠１に接する面に発光素子６１と受光素子６２が設置され、発光素子６１の発光する光を耳珠１に入射させた入射光が耳珠１内の血管あるいは血管の中の血球により散乱され、散乱光が受光素子６２で受光される。ここで、受光素子６２は、発光素子６１から耳珠１へ入射した入射光が耳珠１内で散乱された散乱光を受光する位置に設置される。
【００２５】
このような発光・受光素子ペアによって、心臓の拡張・収縮に連動して生じる血管振動による波形、いわゆる脈波を検出することが出来る。そして、脈波を検出する過程において、カフ３３、３４により耳珠１を圧迫し、血管の血流を停止させた状態から、カフの空気圧を徐々に低下させ、この空気圧の低下の過程において、血管の脈動に対応する脈波を脈波信号として測定すれば、この脈波信号から血圧を測定することができる。
【００２６】
また、この耳式血圧計では、光電センサを圧電センサに変えて耳珠に圧電センサを押し付け脈波信号を検出する圧脈波方式とすることが出来る。また光電センサに変えて小型のマイクロホンを採用することによりコロトコフ方式とすることも出来る。更に、カフの振動から脈波を検出する振動センサを用いてもよい。
（洗浄を容易に行うことを可能とする構造について）
［カフを着脱可能とする構造］
本実施の形態においては、測定部３０におけるカフ３３、３４が第一のアーム３１及び第二のアームから着脱可能に構成されている。このような構成としたことにより、特に汚れやすいカフのみを水で洗浄することが可能となる。以下、光電センサを含むカフ３３を例にとって着脱可能なカフの構造について説明する。
【００２７】
図７は、カフの筐体の裏面（アームに対向する面）の構造を示す図である。図７に示すように、中空パイプを接続するためのノズル５０と、ケーブル用のオス形コネクタ５１を有している。なお、図７には図示していないが、カフの筐体とアームとを機械的に接続する手段も有している。カフの筐体とアームとを機械的に接続する手段としては、例えばカフの筐体に凸部設け、アームに凹部を設け、これらをはめ合わせる構造としてもよいし、カフの筐体にネジ穴を設けて、アームを貫通するネジでカフを固定する構造としてもよい。また、図３に示した構造としてもよい。
【００２８】
アームのカフに対向する面は、図７に示すノズル５０とコネクタ５１がちょうどはめ込まれる構造を有している。もしくは、カフの裏面とアームとを離して両者を接続する場合（図３に示すような場合）には、ノズル５０に中空パイプを差し込み、コネクタ５１は、コネクタ５１と合致する形状を有するケーブル側コネクタと接続される。
【００２９】
図７の構成において、少なくともノズル部分全体もしくはその表面を、撥水性を有するフッ素樹脂製とする。また、ノズル内径を１ｍｍ未満とする。このような構造とすることにより、カフを水で洗浄する際に、ノズル５０の部分から水が浸入するのを防止できる。
【００３０】
また、コネクタ５１における電極５３が露出する境界の部分は、コネクタ５１の部材で完全に覆われているので、境界の部分から水が浸入することはない。コネクタ５１の材質は任意である。
【００３１】
図８に、カフの筐体の裏面の他の例を示す。この例では、ケーブルコネクタの形状がメス形であり、図８に示す凹部にケーブル側にコネクタが差し込まれる構造となっている。図８の構造では、コネクタ部分（円筒状の突起部分）全体もしくは表面（開口部内部の表面を含む）をフッ素樹脂とし、端子が差し込まれる穴の開口径を１ｍｍ未満とする。これにより、コネクタ５４の開口部分からカフ内部への水の浸入を防止できる。
【００３２】
［中空パイプ及びケーブルの途中を着脱可能とする構造］
カフを血圧計から着脱可能とする構成として、中空パイプ及びケーブルの途中を着脱可能としてもよい。この場合の中空パイプの構成例を図９に示す。また、図１０、図１１に、この場合のケーブルの構成例を示す。
【００３３】
図９に示すように、本体部から伸びる中空パイプ７０の内側に、カフから伸びる中空パイプ７１の端に付けられた小パイプ７２が嵌まる構成となっている。本体部から伸びる中空パイプ７０及びカフから伸びる中空パイプ７１の材質はシリコーンである。また、小パイプ７２の材質はフッ素樹脂とする。更に、小パイプ７２の内径を水中でも水が浸入しない１ｍｍ未満とする。これにより、小パイプ７２付きの中空パイプ７１が取り付けられたカフを水で丸洗いしても中空パイプの開口部から水が浸入することを防止できる。
【００３４】
ケーブルは図１０に示す構成を有しており、本体部から伸びるケーブル７４にはメス形のコネクタ７５が形成してあり、カフから伸びるケーブル７６には、メス形のコネクタ７５と合致するオス形のコネクタ７７が形成されている。このようなオス形のコネクタ７７において電極が露出する境界はコネクタ７７の部材で隙間なく覆われているので、水がカフ側に浸入することはない。
【００３５】
図１１にケーブルの他の構成を示す。図１１に示す構成では、図１０の場合とは逆に、カフから伸びるケーブル７８にメス形のコネクタ７９が形成してあり、本体部から伸びるケーブル８０に、メス形のコネクタ７９と合致するオス形のコネクタ８１が形成されている。この場合、カフ側のケーブル７８のコネクタ７９全体又はその表面には撥水性のあるフッ素樹脂が用いられている。また、コネクタ７９の穴の開口径を１ｍｍ未満とする。これにより、水の浸入を防止することができる。
【００３６】
［カフの構造］
図１２にカフ自体の構造を示す。なお、図１２では、中空パイプ接続のためのノズル等の図示を省略している。
【００３７】
図１２に示すように、カフは筐体９０にカフ材９１がＯリング９２により固定された構造を有している。カフ材９１は加圧により耳部を圧迫するものである。このカフ材９１の材料としては、例えば、超撥水性を有するフッ素化シリコーンを使用する。また、カフ材９１の全体をフッ素化シリコーンで形成する代わりに、カフ材を他材料（例えば通常のシリコーン）で形成し、カフ材の表面（耳部に接触する部分）のみをフッ素化シリコーンで形成してもよい。もちろん、筐体９０部分にフッ素化シリコーンを用いてもよい。
【００３８】
通常のシリコーンを使用してカフ材を形成した場合、撥水性が中途半端であるために耳部の汚れが付着し易く、一旦付着した場合には清浄化が困難であるが、超撥水性のフッ素化シリコーンを用いることにより、汚れの付着を最小限に抑えることが可能になる。
【００３９】
カフ材９１の全体もしくは表面の材料として、フッ素化シリコーンを用いる代わりに親水性エラストマーを用いてもよい。親水性エラストマーとしては、例えば特許文献２に記載されているように、疎水性ハロゲン化ゴムに親水性基を有するポリマーをグラフト重合させて得られる親水性エラストマーを用いることができる。更に、表面を親水性とする方法として特許文献３に記載された方法を用いることもできる。カフ材の表面を親水性とすることにより、カフを水洗いしてカフ材の表面に付着した汚れを容易に除去することが可能となる。
【００４０】
さて、カフを水洗いする際に、カフ材９１と筐体９０との接続部分（Ｏリング９２が囲む部分）から水が浸入するのを防ぐことが必要である。このために、筐体９０とカフ材９１とが接する部分を撥水性とする。これにより、筐体９０とカフ材９１との間に隙間があっても、その隙間が小さいものであれば水の浸入を防止できる。
【００４１】
図１３にそのための構成例を示す。図１３の例では、筐体９０全体をフッ素樹脂を用いて形成している。また、カフ材９１と筐体９０との接続部分のみを撥水性とする構造例を図１４に示す。図１４の例では、例えば筐体９０をアセタール樹脂製とし、カフ材９１と筐体９０とが接続される部分９３として、フッ素樹脂を用いてＯリング状に一体成型したものを用いている。また、このような部材を用いることの他、カフ材９１と筐体９０との接続部分に対してフッ素系シランカップリング剤による表面処理を施してもよい。
【００４２】
本実施の形態では耳式血圧計を例にとって説明したが、本発明はカフを有する血圧計であれば耳式血圧計に限らず適用可能である。また、耳式血圧計として、測定部と本体部とが中空パイプ及びケーブルで接続された構成を例にとったが、測定部と本体部とが一体として構成され中空パイプ及びケーブルが耳式血圧計に内蔵される構成であってもよい。この場合でも、カフを図７、８のような構造とすることにより着脱可能とすることができる。
【００４３】
なお、本発明は、上記の実施の形態に限定されることなく、特許請求の範囲内において、種々変更・応用が可能である。
【図面の簡単な説明】
【００４４】
【図１】耳介の構造図である。
【図２】耳式血圧計の測定部３０の構成例を示す図である。
【図３】カフとアームとの接続方法の例を説明するための図である。
【図４】本体部１０の機能構成を示す図である。
【図５】耳式血圧計を耳に装着した様子を示す図である。
【図６】カフ内に設置する光電センサの一例を示した図である。
【図７】カフの筐体の裏面の構造例を示す図である。
【図８】カフの筐体の裏面の他の構造例を示す図である。
【図９】途中を着脱可能とした中空パイプの例を示す図である。
【図１０】途中を着脱可能としたケーブルの例を示す図である。
【図１１】途中を着脱可能としたケーブルの他の例を示す図である。
【図１２】カフの構造例を示す図である。
【図１３】水の浸入を防止するためのカフの構造例を示す図である。
【図１４】水の浸入を防止するためのカフの構造の他の例を示す図である。
【符号の説明】
【００４５】
１  耳珠、２  対珠、３  耳甲介、４  対輪、５  耳輪、6  対輪脚、７  耳輪脚、８  耳甲介腔
１０  本体部、１１  加圧部、１２  減圧部、１３  圧力検出部、１４  発光回路、１５  脈波回路、１６  制御部、１９  タイマー、１８  記憶部、１７  表示部、２０  電池
３０  測定部、３１  第一のアーム、３２  第二のアーム、３５  支軸、４０  距離可変機構、３３  カフ、３４  カフ、４１  回転機構、４２  棒状部材、４３  ネジ機構
５０  ノズル、５１  コネクタ、５３  電極、５４  コネクタ、７０  本体部側中空パイプ、７１  カフ側中空パイプ、７２  小パイプ
７４  本体部側ケーブル、７５  コネクタ、７６  カフ側ケーブル、７７  コネクタ、８０  本体部側ケーブル、８１  コネクタ、７８  カフ側ケーブル、７９  コネクタ
９０  筐体、９１  カフ材、９２  Ｏリング、９３  撥水性部分
【図１】
2006334227.tif 000003
【図２】
2006334227.tif 000004
【図３】
2006334227.tif 000005
【図４】
2006334227.tif 000006
【図５】
2006334227.tif 000007
【図６】
2006334227.tif 000008
【図７】
2006334227.tif 000009
【図８】
2006334227.tif 000010
【図９】
2006334227.tif 000011
【図１０】
2006334227.tif 000012
【図１１】
2006334227.tif 000013
【図１２】
2006334227.tif 000014
【図１３】
2006334227.tif 000015
【図１４】
2006334227.tif 000016